(57)【要約】【課題】操作ボタンやガス抜きモード設定部材に対する利用者のガス抜きモード設定操作に任意性を持たせ、また、ガス抜きモード保持動作の確実化を図ることを目的とする。【解決手段】操作ボタン５をガス抜きモード（＝Ａ方向に下動した位置）に、その外周面に形成した段部５ａと、Ｂ方向への回動操作後のガス抜きモード設定部材４の天井部４ｄ（内端係止部分４ｇ）との係止作用で設定する。設定部材４の回動操作自体はそのステップ部分４ｅとカバー体３の縦突状部３ｄの内周面３ｆとの係合作用によって保持される。設定部材４はカバー体３と一体成形されている。ガス抜きモード設定手順としては、設定部材４のＢ方向への回動操作の後で操作ボタン５をＡ方向に移動させてもよい。これは段部５ａと天井部４ｄとの間の変形・復帰作用に基づく。Ａ方向への押下げ操作なしに、Ｂ方向への回動操作のみでガス抜きモードに設定される操作ボタン例も開示する。【選択図】図１
2006027637.tif 000002
【特許請求の範囲】
【請求項１】
エアゾール式製品の作動モード設定用のアクチュエータをその作動モード対応位置に、エアゾール容器のカバー体に設けたガス抜きモード設定部材と、当該アクチュエータとの係止作用により保持して、廃棄対象となったエアゾール容器の残留ガスを外部空間に放出するためのガス抜きモード保持機構において、
前記アクチュエータの外面部分に、利用者のガス抜きモード設定操作に基づく動作状態に移行後の前記ガス抜きモード設定部材と当接してその当接状態が継続される、当接部を形成し、
前記カバー体に、前記ガス抜きモード設定部材をその前記動作状態に保持するための保持部を形成し、
前記ガス抜きモード設定部材に、その前記動作状態で、前記カバー体の前記保持部に保持される被保持部および、前記作動モード対応位置の前記アクチュエータの前記当接部に作用して当該アクチュエータの静止モードへの復帰動作を阻止するための阻止部を形成した、
ことを特徴とするガス抜きモード保持機構。
【請求項２】
前記ガス抜きモード設定部材に、利用者がガス抜きモード設定操作を行なうまでは前記カバー体と連結され、かつ、当該設定操作にともない、カバー体から分離されるとともに前記保持部にあたってそれ以上のアクチュエータ側への自らの移動を規制するための仮連結部を形成した、
ことを特徴とする請求項１記載のガス抜きモード保持機構。
【請求項３】
前記ガス抜きモード設定部材は、前記カバー体の、外側よりも内側のほうが狭くなる周方向開口域に、当該カバー体と一体の起立部およびこれに続く天井部からなる態様で設けられた回動部材であり、
前記当接部として、前記アクチュエータの外周面に形成された第１の段部を用い、
前記保持部として、前記カバー体の前記周方向開口域に形成された突状部を用い、
前記被保持部として、前記ガス抜きモード設定部材に形成された第２の段部を用い、
前記阻止部として、前記ガス抜きモード設定部材の前記天井部を用いる、
ことを特徴とする請求項１または２記載のガス抜きモード保持機構。
【請求項４】
請求項１乃至３記載のガス抜きモード保持機構を備え、かつ、放出用ガスおよび内容物を収容した、
ことを特徴とするエアゾール式製品。
【発明の詳細な説明】
【技術分野】
【０００１】
本発明は、エアゾール式製品を対象としたガス抜きモード保持機構に関し、特にエアゾール式製品の作動モード（＝内容物放出状態）と、静止モード（＝内容物封止状態）とを選択的に設定するためのアクチュエータ自体を、それと、エアゾール容器のカバー体に設けたガス抜きモード設定部材との係止作用により、ガス抜き用の作動モード対応位置に簡単，確実に保持するものである。
【０００２】
なお、本明細書では、アクチュエータおよびガス抜きモード設定部材に関する「係止」や「係止作用」の用語を、アクチュエータがガス抜きモード設定部材に少なくとも接して受け止められることを示す意で用いる。
【０００３】
このガス抜きモード保持機構は使用済みエアゾールを廃棄するときに初めて必要となり、まだ容器内容物が存在しているエアゾール式製品の使用段階ではまったくの不要品である。
【０００４】
そのため、ガス抜き用機構の形態は、エアゾール式製品の通常の使用段階では内容物放出動作の障害とならず、また利用者にとっていわば目障りにもならず、そして使用済みエアゾール式製品の廃棄段階では利用者が当該ガス抜き機構をその作動状態に簡単にセットできるようになっていることが望ましく、本発明はこの要請に応えるものである。
【背景技術】
【０００５】
従来、エアゾール容器のカバー体に設けたガス抜きモード設定用の回動部材を用いることにより、使用済みエアゾール式製品をガス抜きモードに保持する機構としては、
(1)通常の作動モード設定用で上下動する鞘状の操作ボタンの周壁の所定部分（回動部材の対応部分）を開口しておき、
(2)先ずガス抜きモード設定用の回動部材を回動操作して、その可動端側を当該開口部分から操作ボタンの内側に入れ、
(3)その後で操作ボタンを押下げ、
(4)この押下げ後のガス抜きモードの操作ボタン位置を、操作ボタンの内周面と、当該回動部材の（操作ボタンの内側に入り込んで）当該内周面と対向する可動端側部分との係合作用で保持する、
ようにしたものが提案されている（例えば、特許文献１参照）。
【０００６】
この保持機構の構成上の特徴は、
(11)作動モード設定用の操作ボタン（押下げヘッド）は、その周壁の一部が開口して、当該開口部分の上側の内周面部分にガス抜きモード設定用の回動部材（押込み板）との被係合部（第１の係合手段）を有し、
(12)ガス抜きモード設定用の回動部材（押込み板）は、エアゾール容器のカバー体（カバー筒）の一部で形成され、その上端外面部分にガス抜きモードにおける操作ボタン（押下げヘッド）との係合部（第２の係合手段）を有し、
(13)また、操作ボタン（押下げヘッド）は、その被係合部（第１の係合手段）と対向する所定間隔の内側部分に、ガス抜きモード設定用の回動部材（押込み板）の係合部（第２の係合手段）を当該被係合部（第１の係合手段）との間に挟持するための係止板を有していることである。
【０００７】
この係止板の存在により、もともと操作ボタン（押下げヘッド）の開口部からその内側に入り込んで任意の範囲まで回動できるガス抜きモード設定用の回動部材（押込み板）の回動限界が設定されている。
【０００８】
すなわち、この係止板は、操作ボタン（押下げヘッド）と係合状態のガス抜きモード設定用の回動部材（押込み板）が何らかの外力を受けて当該係合状態から離脱する方向（操作ボタンの中心へ向かう方向）に移動するのを防止している。
【特許文献１】特開２００４−７５１２４号公報
【発明の開示】
【発明が解決しようとする課題】
【０００９】
このように、従来の使用済みエアゾール式製品のガス抜きモード保持機構の場合、ガス抜きモードへの設定に際しては、
・先ず、ガス抜きモード設定用の回動部材を回動させてその可動端側の係合部を（作動モード設定用で上下動する）操作ボタンの開口部から内側に入れ、
・次に、操作ボタンを押下げる、
といった順番をとるしかない。
【００１０】
換言すれば、エアゾール式製品をガス抜きモードに設定したい利用者は、必ず、ガス抜きモード設定用の回動部材と作動モード設定用の操作ボタンのそれぞれを所定の順番で操作せざるを得ず、使い勝手の点で利便性にかけるという問題点があった。
【００１１】
また、回動部材の係合部を操作ボタンの内側にいれて、この係合部と、当該操作ボタンの内周面に形成された被係合部とを係合させる構造になっている、すなわちこれらの係合部および被係合部のみの構成要素では係合状態の回動部材が外力によって係合解除方向に回動できる構造になっている。そのため、この係合解除方向への回動を阻止する部材（係止板）を設けることが必須となり、操作ボタンの構成要素が増えて、製造コストも高くなるという問題点があった。
【００１２】
さらには、操作ボタンのいわば内部空間域での当該操作ボタンと回動部材との係合状態を解除することは、上述の回動阻止部材（係止板）の作用もあいまって容易ではない。そのため、エアゾール式製品を誤ってガス抜きモードに設定した場合などにそれを解除することが難しいという問題点があった。
【００１３】
そこで、本発明では、エアゾール容器の作動モード設定用のアクチュエータ（操作ボタン）をそのガス抜きモード位置（＝作動モード対応位置）に保持する際に、当該アクチュエータの（内部空間域ではなくて）外面部分をガス抜きモード設定部材で押さえ、かつ、当該設定部材のガス抜きモード位置をエアゾール容器のカバー体で保持する、すなわち廃棄対象エアゾール容器のガス抜きモードへの移行に際し、当該設定部材がアクチュエータの内部空間域に入り込むといった過程を伴わないようにして、アクチュエータおよび当該設定部材に対する利用者のガス抜きモード設定操作に任意性を持たせ、当該設定操作の多様化，利便化を図ることを目的とする。
【００１４】
また、いったんガス抜きモードに保持されたガス抜きモード設定部材が何らかの作用でさらに押されたとしても当該設定部材はアクチュエータの外面にあたってそれ以上は移動しないようにして、当該移動阻止のための新たな部材を何ら設けることなしに、当該設定部材のガス抜きモード保持状態が不意に解除されるのを防止してそのガス抜きモード保持動作の確実化を図ることを目的とする。
【００１５】
また、このようにアクチュエータの（内部空間域は使用せずに）外部側を利用したガス抜きモード保持機構として、利用者が誤ってガス抜きモード設定部材をその動作状態に保持した場合などの、当該保持状態の解除作業の簡単化を図ることを目的とする。
【００１６】
また、エアゾール式製品の使用段階ではカバー体と一体化し、かつ、廃棄対象となった当該製品のガス抜きモード設定操作にともなってカバー体から分離されるとともに、ガス抜きモード設定部材の必要以上の移動を規制する仮連結部を当該設定部材に形成して、エアゾール式製品のガス抜きモード設定操作の円滑化，確実化を図ることを目的とする。
【課題を解決するための手段】
【００１７】
本発明は、以上の課題を次のようにして解決する。
（１）エアゾール式製品の作動モード設定用のアクチュエータ（例えば後述の操作ボタン５，５′，５″）をその作動モード対応位置に、エアゾール容器のカバー体（例えば後述のカバー体３）に設けたガス抜きモード設定部材（例えば後述のガス抜きモード設定部材４，４′）と、当該アクチュエータとの係止作用により保持して、廃棄対象となったエアゾール容器の残留ガスを外部空間に放出するためのガス抜きモード保持機構において、前記アクチュエータの外面部分に、利用者のガス抜きモード設定操作に基づく動作状態に移行後の前記ガス抜きモード設定部材と当接してその当接状態が継続される、当接部（例えば後述の段部５ａ）を形成し、前記カバー体に、前記ガス抜きモード設定部材をその前記動作状態に保持するための保持部（例えば後述の縦筒状部３ｄ）を形成し、前記ガス抜きモード設定部材に、その前記動作状態で、前記カバー体の前記保持部に保持される被保持部（例えば後述の天井部４ｄ）および、前記作動モード対応位置の前記アクチュエータの前記当接部に作用して当該アクチュエータの静止モードへの復帰動作を阻止するための阻止部（例えば後述の天井部４ｄ）を形成する。
（２）上記（１）において、前記ガス抜きモード設定部材に、利用者がガス抜きモード設定操作を行なうまでは前記カバー体と連結され、かつ、当該設定操作にともない、カバー体から分離されるとともに前記保持部にあたってそれ以上のアクチュエータ側への自らの移動を規制するための仮連結部（例えば後述の仮連結片４ｃ，４ｈ）を形成する。
（３）上記（１），（２）において、前記ガス抜きモード設定部材は、前記カバー体の、外側よりも内側のほうが狭くなる周方向開口域（例えば後述の開口域３ａ）に、当該カバー体と一体の起立部（例えば後述の起立部４ｂ）およびこれに続く天井部（例えば後述の天井部４ｄ）からなる態様で設けられた回動部材であり、前記当接部として、前記アクチュエータの外周面に形成された第１の段部（例えば後述の段部５ａ）を用い、前記保持部として、前記カバー体の前記周方向開口域に形成された突状部（例えば後述の縦筒状部３ｄ）を用い、前記被保持部として、前記ガス抜きモード設定部材に形成された第２の段部（例えば後述のステップ部分４ｅ）を用い、前記阻止部として、前記ガス抜きモード設定部材の前記天井部の内端部分（例えば後述の内端係止部分４ｇ）を用いる。
【００１８】
このような構成からなるガス抜きモード保持機構および、このガス抜きモード保持機構を備えたエアゾール式製品を本発明の対象としている。
【発明の効果】
【００１９】
本発明は、このように、エアゾール容器の作動モード設定用のアクチュエータ（操作ボタン）のガス抜きモード設定に際して、作動モード対応位置の当該アクチュエータの外面部分をガス抜きモード設定部材で押さえ、かつ、当該設定部材のガス抜きモード設定操作後の動作状態をエアゾール容器のカバー体で保持するようにしている。
【００２０】
すなわち、アクチュエータの内部空間域を一切使わずに、アクチュエータの外面とガス抜きモード設定部材との当接（係止作用）によりガス抜きモードを保持しているので、後述のように、利用者のガス抜きモード設定操作に任意性を持たせ、当該設定操作の多様化，利便化を図ることができる。
【００２１】
また、いったんガス抜きモードに保持されたガス抜きモード設定部材が何らかの作用でさらに押されたとしても当該設定部材はアクチュエータの外面にあたってそれ以上は移動しないようにしているので、当該移動阻止のための新たな部材を何ら設けることなしに、当該設定部材のガス抜きモード保持状態が不意に解除されるのを防止してそのガス抜きモード保持動作の確実化を図ることができる。
【００２２】
また、アクチュエータの外部側のみを利用したガス抜きモード保持機構としているので、利用者が誤ってガス抜きモード設定部材をその動作状態（ガス抜きモード位置）に保持した場合にも当該保持状態を比較的簡単な作業で解除することができる。
【００２３】
また、利用者のガス抜きモード設定操作によりカバー体から分離される仮連結部をガス抜きモード設定部材に形成し、かつ、この分離後の仮連結部に対するいわばストッパをカバー体に設け、当該設定部材がガス抜きモード方向に必要以上に移動してアクチュエータの下方空間に入り込むことを阻止しているので（図３参照）、仮にアクチュエータ対するガス抜きモード設定操作よりも先に当該設定部材をその動作状態に強く移動させる操作が行われたとしても、アクチュエータの静止モード位置からガス抜きモード位置への本来の移動が当該設定部材によって完全に阻止されることはなく、エアゾール式製品のガス抜きモード設定操作の円滑化，確実化を図ることができる。
【発明を実施するための最良の形態】
【００２４】
図１乃至図４を用いて本発明を実施するための最良の形態を説明する。
【００２５】
ここで、
図１は、ガス抜きモード保持機構（操作ボタンの押下げ操作＋ガス抜きモード設定部材の回動操作：その１）であって、(a)は静止モードを、(b)は操作ボタン（アクチュエータ）を下動位置に保持した状態のガス抜きモードをそれぞれ示し、
図２は、図１のガス抜きモード保持機構の一部を省略した状態を示し、
図３は、ガス抜きモード保持機構（操作ボタンの押下げ操作＋ガス抜きモード設定部材の回動操作：その２）であって、(a)は静止モードを、(b)は操作ボタン（アクチュエータ）を下動位置に保持した状態のガス抜きモードをそれぞれ示し、
図４は、ガス抜きモード保持機構（ガス抜きモード設定部材の回動操作のみ）であって、(a)は静止モードを、(b)は操作ボタン（アクチュエータ）を下動位置に保持した状態のガス抜きモードをそれぞれ示している。
【００２６】
これらの図において、
１は後述の内容物および放出用ガスを収納したエアゾール式製品の容器本体，
１ａは当該容器本体の斜面状の肩部，
２はマウンティングカップ，
２ａは容器本体１と当該マウンティングカップとの巻締部分に生成される環状凹部，
３はカバー体，
３ａは当該カバー体の周方向の開口域，
３ｂは当該カバー体の外筒状部，
３ｃは当該外筒状部の端部分から内方向に続く当該開口域の壁状部，
３ｄは当該壁状部から内方向に続く縦突状部，
３ｅは当該縦突状部のテーパ状の外周面，
３ｆは後述のガス抜きモード設定部材４の回動状態（ガス抜きモード設定状態）におけるステップ部分４ｅと係合してこれを保持する当該縦突状部の内周面，
３ｇは当該内周面の上側のフランジ部分，
３ｈは当該カバー体の内筒状部，
３ｊは当該内筒状部のアンダーカット，
４および４′は、カバー体３に対して図示の反時計方向に回動するガス抜きモード設定部材，
４ａはカバー体３とのヒンジ結合部，
４ｂは当該ヒンジ結合部から上方向に続く起立部，
４ｃは当該起立部の両側面に形成されてガス抜きモード設定操作が行われるまではカバー体３と一体になっている仮連結片（図１，図２，図４のみ），
４ｄは当該起立部から内方向に続く天井部，
４ｅはカバー体３（縦突状部３ｄ）の内周面３ｆに対する被係合部（ガス抜きモード設定部）として当該天井部の両側面に形成された段部状のステップ部分，
４ｆは当該天井部の両側面の当該ステップ部分よりも内側にこれに続くかたちで形成されたテーパ部分，
４ｇは当該天井部の内端下側部分であって後述の操作ボタン５の段部５ａと当接することにより当該操作ボタンをガス抜きモード位置（＝作動モード対応位置）に保持する内端係止部分，
４ｈは当該ガス抜きモード設定部材の回動操作時に当該部材が必要以上に回動しないように規制する機能を併せ持つかたちで当該天井部の両側面の当該ステップ状部分よりも外側に形成された仮連結片（図３のみ），
５および５′，５″は、弾性力により上方向に付勢されるステム（図示省略）と嵌合した操作ボタン（アクチュエータ），
５ａはガス抜きモード設定部材４（天井部４ｄ）の内端下側部分４ｇに対する凸状で被係止用（ガス抜きモード設定用）の当該操作ボタンの段部，
５ｂは当該段部の下方反対側に形成されたテーパ面（図１，図２，図３のみ），
５ｃは当該テーパ面の下側に延びるスカート部（図１，図２のみ），
５ｄは内容物放出用の当該操作ボタンの孔部，
５ｅは回動操作時のガス抜きモード設定部材４の内端係止部分４ｇなどが当接してこれを段部５ａまで案内して当該設定部材から下方向への力を受けるための当該操作ボタンの上側テーパ面（図４のみ），
Ａはガス抜きモード設定時の操作ボタン５，５′，５″の移動方向，
Ｂをガス抜きモード設定時のガス抜きモード設定部材４，４′の回動方向，
をそれぞれ示している。
【００２７】
ここで、カバー体３，ガス抜きモード設定部材４，４′，操作ボタン５，５′，５″はポリプロピレン，ポリエチレン，ポリアセタール，ナイロン，ポリブチレンテレフタレートなどからなるプラスチック製のものであり、それぞれ外力を受けることによりいくらか変形し、当該外力を受けなくなると元の形状に略復帰する。また、カバー体３およびガス抜きモード設定部材４，４′は金型加工による一体成形品である。
【００２８】
カバー体３は、その外筒状部３ｂの下端部分が容器本体１の肩部１ａに当接し、その内筒状部３ｈのアンダーカット３ｊおよびその下側に続く環状突部がマウンティングカップ２の環状凹部２ａに嵌合・保持されている。
【００２９】
なお、各図のカバー体３および、図１，図２，図４のガス抜きモード設定部材４はそれぞれ同一のものを示している。
【００３０】
図１乃至図４のガス抜きモード保持機構（その１〜その３）のそれぞれに共通する基本的特徴は、
(21)ガス抜きモード設定部材４，４′のガス抜きモード位置への回動状態を、そのステップ部分４ｅとカバー体３（縦筒状部３ｄ）の内周面３ｆとの係合作用で保持し、
(22)操作ボタン５，５′，５″のガス抜きモード位置への下動状態を、その段部５ａとガス抜きモード設定部材４（天井部４ｄ）の内端係止部分４ｇとの係止作用で保持する、
ことである。
【００３１】
すなわち、操作ボタン５，５′，５″の外周面の段部５ａを動作状態（回動操作状態）のガス抜きモード設定部材４，４′によって係止するとともに、このガス抜きモード設定部材４，４′の当該動作状態をカバー体３によって係合保持することである。
【００３２】
そのため、上述の従来例のように、ガス抜きモードへの移行に際してガス抜きモード設定部材４，４′が操作ボタン５，５′，５″の内部空間域に入り込む、ことはない。
【００３３】
そして、ガス抜きモードへの設定操作は
(31)図１〜図３の各ガス抜きモード保持機構（その１，その２）の場合、操作ボタン５，５′に対するＡ方向への押下げ操作とガス抜きモード設定部材４，４′に対する回動操作であり、
(32)図４のガス抜きモード保持機構（その３）の場合、ガス抜きモード設定部材４に対するＢ方向への回動操作である。
【００３４】
なお、ガス抜きモード保持機構（その３）の場合に操作ボタン５″に対するＡ方向への押下げ操作を併用してもよい。
【００３５】
いずれのガス抜きモード保持機構（その１，その２，その３）の場合もガス抜きモード設定部材４，４′をＢ方向に回動操作すると、それまでカバー体３と一体になっていた仮連結片４ｃ，４ｈが当該カバー体から切れて分離する。
【００３６】
そして、この切断分離後のガス抜きモード設定部材４，４′は、
(41)テーパ部分４ｆがカバー体３（縦筒状部３ｄ）の外周面３ｅに案内されながら、プラスチック製のカバー体３およびガス抜きモード設定部材４，４′の間の相対的な変形作用により当該縦筒状部３ｄを乗り越え、
(42)この乗り越えによりそれまでの変形部分は復帰して、ステップ部分４ｅが縦筒状部３ｄの内周面３ｆに係合された状態になる。
【００３７】
図１〜図３のガス抜きモード保持機構（その１，その２）の場合の、ガス抜きモード設定部材４，４′のＢ方向の回動操作と、操作ボタン５，５′のＡ方向の押下げ操作との時間的順序は任意である。
【００３８】
操作ボタン５，５′をＡ方向にガス抜きモード位置（＝作動モード対応位置）まで下動させてから、ガス抜きモード設定部材４，４′をＢ方向に回動させた場合に、当該操作ボタンが図１(b)や図３(b)のガス抜きモードに保持されることは明らかである。
【００３９】
一方、先ずガス抜きモード設定部材４，４′をＢ方向に回動させて上述のように縦筒状部３ｄの内周面３ｆに係合保持し、それから操作ボタン５，５′をＡ方向に下動させる場合も、当該操作ボタンはそのテーパ面５ｂが、当該設定部材の天井部４ｄの内端部分に当接しながらプラスチック製のこれら当接部分の変形・復帰作用により当該内端部分を乗り越えて、最終手には当該操作ボタンの段部５ａが当該設定部材の内側係止部分４ｇに係止される。すなわち操作ボタン５，５′はガス抜きモードに保持される。
【００４０】
図１のガス抜きモード保持機構（その１）と図３のガス抜きモード保持機構（その２）との主たる違いは、操作ボタンの段部５ａの下方側のスカート部５ｃの有無と、仮連結片４ｃ，４ｈの形成位置との２点である。これら二つの違いには次のような積極的な関連性がある。
【００４１】
図１の操作ボタン５はスカート部５ｃを備えているので、ガス抜きモード設定操作に際して利用者が最初に（操作ボタン５の押下げ操作ではなく）ガス抜きモード設定部材４をＢ方向に強く回動操作しすぎたとしても当該設定部材の内端部分は当該スカート部に当たって、当該設定部材がそれ以上回動することはない。
【００４２】
すなわち、ガス抜きモード設定部材４の内端係止部分４ｇの側が、静止モード位置の操作ボタン５とマウンティングカップ２とに挟まれた空間域にいわばもぐりこむようなことは生じない。そのため、このもぐりこみを防止する構成要素を設ける必要はない。
【００４３】
一方、図３の操作ボタン５′は段部５ａの下側にスカート部を備えていないので、図１のガス抜きモード保持機構とは違って、操作ボタン５とマウンティングカップ２との上記空間域にガス抜きモード設定部材の内端係止部分の側がもぐりこんでしまうことがあり得る。
【００４４】
図３のガス抜きモード設定部材４′の仮連結片４ｈはこのもぐりこみを回避する機能も備えた片部である。
【００４５】
すなわち、ガス抜きモード設定部材４′のＢ方向への回動操作にともなってカバー体３から切り離される仮連結片４ｈは、当該設定部材がカバー体３の縦筒状部３ｄの内周面３ｆに係合されるガス抜きモード設定位置まで回動した段階で、当該縦筒状部の外周面３ｅとぶつかってそこに係止される。
【００４６】
この外周面３ｅと仮連結片４ｈとの係止作用により、ガス抜きモード設定部材４′はそれ以上Ｂ方向に回動することはなく、上述のもぐりこみも発生しない。
【００４７】
図４のガス抜きモード保持機構（その３）の場合、ガス抜きモード設定部材４に対するＢ方向への回動操作のみで操作ボタン５″をガス抜きモード位置まで下動させてそこに保持することができる。
【００４８】
それは、ガス抜きモード設定部材４のＢ方向への回動操作にともない、当該設定部材の内端係止部分４ｇなどが、操作ボタン５″の上側テーパ面５ｅに当接して当該操作ボタンを下動させながら、その段部５ａまで案内されるためである。
【００４９】
図１〜図４のガス抜きモード保持機構（その１〜その３）の操作ボタン５，５′，５″はいずれも、ガス抜きモード位置に保持された状態ではステム（図示省略）を介した上方向の弾性力を受けている。
【００５０】
これにより、ガス抜きモード設定部材４，４′は図示時計方向の復帰回動力を受けるものの、それぞれのステップ部分４ｅがカバー体３（の縦筒状部３ｄ）の内周面３ｆに係合するので、当該設定部材の内端係止部分４ｇと操作ボタン５，５′，５″の段部５ａとの係止状態が解除されることはない。
【００５１】
また、このときのガス抜きモード設定部材４，４′には上方向の力も作用しているが、それぞれのステップ部分４ｅのいわばヘッドがカバー体３のフランジ部分３ｇに押えられるので、当該設定部材それぞれのステップ部分４ｅとカバー体３（の縦筒状部３ｄ）の内周面３ｆとの係合状態が解除されたり、当該設定部材それぞれのヒンジ結合部４ａが切れたりすることはない。
【００５２】
なお、本発明が図示の内容に限定されないことは勿論であり、例えば、
(51)操作ボタンとして、その一部がカバー体に連結されているタイプのアクチュエータや、作動モード時にステムを横方向に傾けるチルトタイプのアクチュエータを用いる、
(52)ガス抜きモード設定部材における阻止部として、当該設定部材に別途形成した突状部などを用いる、
(53)ガス抜きモード設定部材として、図示のように起立部と天井部とに明に区別できない形状のものを用いる、
(54)ガス抜きモード設定部材として操作ボタン方向へのスライド部材を用い、カバー体には当該スライド部材のガス抜きモード位置への移動を案内するガイド部を形成する、
(55)ガス抜きモード設定部材をカバー体とは別部材の態様で作成して当該カバー体に分離可能な形で取り付ける、
ようにしてもよい。
【００５３】
本発明が適用されるエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００５４】
容器本体に収納する内容物は、例えば、粉状物，油成分，アルコール類，界面活性剤，高分子化合物，各用途に応じた有効成分などである。
【００５５】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００５６】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００５７】
アルコール類としては、エタノールなどの１価の低級アルコール，ラウリルアルコールなどの１価の高級アルコール，エチレングリコールなどの多価アルコールなどを用いる。
【００５８】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００５９】
高分子化合物としては、メチルセルロース，ゼラチン，デンプン，カゼインなどを用いる。
【００６０】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００６１】
さらに、上記内容物以外の、懸濁剤，紫外線吸収剤，乳化剤，保湿剤，酸化防止剤、金属イオン封鎖剤なども用いることができる。
【００６２】
エアゾール式製品における内容物放出用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【図面の簡単な説明】
【００６３】
【図１】本発明の、ガス抜きモード保持機構（操作ボタンの押下げ操作＋ガス抜きモード設定部材の回動操作：その１）であって、(a)は静止モードを、(b)は操作ボタン（アクチュエータ）を下動位置に保持したガス抜きモードをそれぞれ示す説明図である。
【図２】本発明の、図１のガス抜きモード保持機構の一部を省略した状態を示す説明図である。
【図３】本発明の、ガス抜きモード保持機構（操作ボタンの押下げ操作＋ガス抜きモード設定部材の回動操作：その２）であって、(a)は静止モードを、(b)は操作ボタン（アクチュエータ）を下動位置に保持したガス抜きモードをそれぞれ示す説明図である。
【図４】本発明の、ガス抜きモード保持機構（ガス抜きモード設定部材の回動操作のみ）であって、(a)は静止モードを、(b)は操作ボタン（アクチュエータ）を下動位置に保持したガス抜きモードをそれぞれ示す説明図である。
【符号の説明】
【００６４】
１：エアゾール式製品の容器本体
１ａ：斜面状の肩部
２：マウンティングカップ
２ａ：環状凹部
３：カバー体
３ａ：周方向の開口域
３ｂ：外筒状部
３ｃ：開口域の壁状部
３ｄ：縦突状部
３ｅ：縦突状部のテーパ状の外周面
３ｆ：縦突状部の内周面
３ｇ：フランジ部分
３ｈ：内筒状部
３ｊ：アンダーカット
４，４′：ガス抜きモード設定部材
４ａ：ヒンジ結合部
４ｂ：起立部
４ｃ：仮連結片（図１，図２，図４のみ）
４ｄ：天井部
４ｅ：ステップ部分
４ｆ：テーパ部分
４ｇ：内端係止部分
４ｈ：仮連結片（図３のみ）
５，５′，５″：操作ボタン（アクチュエータ）
５ａ：段部
５ｂ：段部の下方反対側に形成されたテーパ面（図１，図２，図３のみ）
５ｃ：スカート部（図１，図２のみ）
５ｄ：内容物放出用の孔部
５ｅ：上側テーパ面（図４のみ）
Ａ：ガス抜きモード設定時の操作ボタンの移動方向
Ｂ：ガス抜きモード設定時のガス抜きモード設定部材の回動方向
【図１】
2006027637.tif 000003
【図２】
2006027637.tif 000004
【図３】
2006027637.tif 000005
【図４】
2006027637.tif 000006